(57)【要約】【課題】フランジ部を連続媒体の幅に応じた位置に容易に移動させることができる巻取り装置を提供する。【解決手段】巻取り軸と、巻取り軸に回転可能に設けられ、連続媒体が巻き取られる巻取りコア部２１３と、巻取り軸に対して、巻取り軸の延在方向に移動可能に設けられ、巻取りコア部２１３に巻き取られる連続媒体を連続媒体の幅方向にガイドする第１フランジ部２１５と、第１フランジ部２１５と一体に移動可能なフランジ側係合部２２７と、フランジ側係合部２２７と係合するカム側係合部２５９が設けられた円筒カム２４７を有し、第１フランジ部２１５を、複数のフランジ位置に移動させるフランジ移動部２４５とを備えた。【選択図】図６
2019182656.tif 000002
【特許請求の範囲】
【請求項１】
巻取り軸と、
前記巻取り軸に回転可能に設けられ、連続媒体が巻き取られる巻取りコア部と、
前記巻取り軸に対して、前記巻取り軸の延在方向に移動可能に設けられ、前記巻取りコア部に巻き取られる前記連続媒体を前記連続媒体の幅方向にガイドするフランジ部と、
前記フランジ部と一体に移動可能なフランジ側係合部と、
前記フランジ側係合部と係合するカム側係合部が設けられたカム、を有し、前記フランジ部を、複数のフランジ位置に移動させるフランジ移動部と、
を備えたことを特徴とする巻取り装置。
【請求項２】
前記カム側係合部には、前記フランジ部を前記フランジ位置に維持するカム側維持係合部と、前記フランジ部を前記フランジ位置間で移動させるカム側移動係合部と、が含まれることを特徴とする請求項１に記載の巻取り装置。
【請求項３】
前記フランジ移動部は、
前記カムを作動させる操作部と、
規制係合部と係合することで、前記操作部を規制する操作規制部と、を有し、
前記操作規制部が前記規制係合部と係合した際に、前記カム側係合部が前記カム側維持係合部において前記フランジ側係合部と係合することを特徴とする請求項２に記載の巻取り装置。
【請求項４】
前記フランジ移動部は、
前記カムを作動させる操作部と、
規制係合部と係合することで、前記操作部を規制する操作規制部と、を有し、
前記操作規制部が前記規制係合部と係合した際に、前記フランジ部が前記フランジ位置に位置することを特徴とする請求項１に記載の巻取り装置。
【請求項５】
前記フランジ部には、前記巻取り軸が挿入される軸挿入穴が設けられ、
前記フランジ部は、前記軸挿入穴に前記巻取り軸が挿入されることで、前記巻取り軸の延在方向と交差する方向に位置決めされることを特徴とする請求項１ないし４のいずれか一項に記載の巻取り装置。
【請求項６】
前記カムは、前記巻取り軸の延在方向と平行な回転軸周りに回転可能であり、
前記フランジ部は、前記カムが回転することで、前記巻取り軸の延在方向に移動することを特徴とする請求項１ないし５のいずれか一項に記載の巻取り装置。
【請求項７】
前記カム側係合部は、前記カムの周面に溝状に設けられており、
前記フランジ側係合部は、前記カム側係合部に係合する係合凸部、を有することを特徴とする請求項１ないし６のいずれか一項に記載の巻取り装置。
【請求項８】
前記カム側係合部において、前記巻取り軸の延在方向における２つの壁部のうち、前記フランジ部側の壁部は、前記係合凸部を前記カム側係合部に対して抜止め状態にする抜止め部として機能することを特徴とする請求項７に記載の巻取り装置。
【請求項９】
前記フランジ部と前記巻取りコア部とは一体に形成されていることを特徴とする請求項１ないし８のいずれか一項に記載の巻取り装置。
【請求項１０】
前記フランジ部は、前記巻取りコア部に固定されていることを特徴とする請求項１ないし８のいずれか一項に記載の巻取り装置。
【請求項１１】
連続媒体に印刷を行う印刷部と、
巻取り軸と、
前記巻取り軸に回転可能に設けられ、前記連続媒体が巻き取られる巻取りコア部と、
前記巻取り軸に対して、前記巻取り軸の延在方向に移動可能に設けられ、前記巻取りコア部に巻き取られる前記連続媒体を前記連続媒体の幅方向にガイドするフランジ部と、
前記フランジ部と一体に移動可能なフランジ側係合部と、
前記フランジ側係合部と係合するカム側係合部が設けられたカム、を有し、前記フランジ部を、複数のフランジ位置に移動させるフランジ移動部と、
を備えたことを特徴とする印刷装置。
【発明の詳細な説明】
【技術分野】
【０００１】
本発明は、連続媒体を巻き取る巻取り装置および印刷装置に関するものである。
【背景技術】
【０００２】
従来、特許文献１が開示するように、内筒、第１フランジ部を備える第１外筒、第２フランジ部を備える第２外筒、および紙芯によりドラム部を構成し、連続媒体を巻き取る巻き取り装置が知られている。
【先行技術文献】
【特許文献】
【０００３】
【特許文献１】特開２０１５−０６６９１３号公報
【発明の概要】
【発明が解決しようとする課題】
【０００４】
従来の巻取り装置では、巻き取り機構を組み立てる際に、第２フランジ部の軸方向の位置を、巻き取る連続媒体の幅に合致した紙芯の幅に合わせる必要があり、フランジ部の位置調整の操作が煩雑である。
【０００５】
本発明は、フランジ部を連続媒体の幅に応じた位置に容易に移動させることができる巻取り装置および印刷装置を提供することを課題としている。
【課題を解決するための手段】
【０００６】
本発明の巻取り装置は、巻取り軸と、巻取り軸に回転可能に設けられ、連続媒体が巻き取られる巻取りコア部と、巻取り軸に対して、巻取り軸の延在方向に移動可能に設けられ、巻取りコア部に巻き取られる連続媒体を連続媒体の幅方向にガイドするフランジ部と、フランジ部と一体に移動可能なフランジ側係合部と、フランジ側係合部と係合するカム側係合部が設けられたカム、を有し、フランジ部を、複数のフランジ位置に移動させるフランジ移動部と、を備えたことを特徴とする。
【０００７】
本発明の印刷装置は、連続媒体に印刷を行う印刷部と、巻取り軸と、巻取り軸に回転可能に設けられ、連続媒体が巻き取られる巻取りコア部と、巻取り軸に対して、巻取り軸の延在方向に移動可能に設けられ、巻取りコア部に巻き取られる連続媒体を連続媒体の幅方向にガイドするフランジ部と、フランジ部と一体に移動可能なフランジ側係合部と、フランジ側係合部と係合するカム側係合部が設けられたカム、を有し、フランジ部を、複数のフランジ位置に移動させるフランジ移動部と、を備えたことを特徴とする。
【図面の簡単な説明】
【０００８】
【図１】テープ印刷装置と、本発明の一実施形態に係る巻取り装置とを備えた印刷システムの斜視図である。
【図２】テープ印刷装置および巻取装置を、図１とは別の角度から見た斜視図である。
【図３】幅の異なる複数種のテープを示す図である。
【図４】巻取り本体およびフランジ移動部の斜視図である。
【図５】巻取り本体およびフランジ移動部を＋Ｚ側から見た図である。
【図６】巻取り本体およびフランジ移動部を、Ｚ方向と直交する方向から見た図であり、巻取り本体の一部を断面にして示す図である。
【図７】テープ印刷装置の歯車列と巻取り装置の歯車列とを示す図である。
【図８】テープ印刷装置から送られたテープが巻取り装置により巻き取られる状態を示す図である。
【図９】テープ印刷装置から送られたテープが巻取り装置により巻き取られる状態を、図８とは別の角度から見た図である。
【０００９】
以下、添付の図面を参照しつつ、テープ印刷装置と巻取り装置とを備えた印刷システムの一実施形態について説明する。なお、以下の図面では、各部の配置関係を明確にするために、ＸＹＺ直交座標系を表示するが、それが本発明を何ら限定するものではないことは、言うまでもない。また、各部の個数などを示す数値は、いずれも例示にすぎず、本発明を何ら限定するものではない。
【００１０】
［テープ印刷装置および巻取り装置の概要］
図１および図２に基づいて、印刷システムＳｙを構成するテープ印刷装置１０１および巻取り装置２０１の概要について説明する。テープ印刷装置１０１は、テープ４０１（図３参照）に印刷を行い、印刷が行われたテープ４０１を巻取り装置２０１に送る。巻取り装置２０１は、テープ印刷装置１０１から送られたテープ４０１を巻き取る。なお、テープ４０１は、本発明の「連続媒体」の一例である。
【００１１】
テープ印刷装置１０１は、装置ケース１０３と、装着部カバー１０５とを備えている。装置ケース１０３は、略直方体状に形成されている。装置ケース１０３には、＋Ｘ側の面にテープ導入口１０７が設けられ、−Ｘ側の面にテープ排出口１０９が設けられている。テープ導入口１０７には、テープ印刷装置１０１外からテープ４０１が導入される。テープ排出口１０９からは、印刷が行われたテープ４０１が排出される。また、装置ケース１０３の＋Ｚ側の面には、カートリッジ装着部（図示省略）が設けられている。装着部カバー１０５は、＋Ｙ側の端部を中心として回動可能なように、装置ケース１０３の＋Ｚ側に設けられている。装着部カバー１０５は、カートリッジ装着部を開閉する。カートリッジ装着部には、インクリボンが収容されたリボンカートリッジ（図示省略）が着脱可能に装着される。
【００１２】
装置ケース１０３内には、プラテン軸１１３と、サーマルヘッド（図示省略）と、送りモーター１２１（図７参照）とが設けられている。プラテン軸１１３には、プラテンローラー（図示省略）が回転可能に装着される。送りモーター１２１が作動すると、プラテンローラーが回転し、サーマルヘッドとプラテンローラーとの間に挟持されたテープ４０１およびインクリボンが送られる。このとき、サーマルヘッドが発熱することにより、テープ４０１に印刷が行われる。
【００１３】
巻取り装置２０１は、テープ印刷装置１０１のテープ排出口１０９側に設置される。巻取り装置２０１は、基台部２０３と、巻取り部２０５と、巻取りガイド部２０７とを備えている。
【００１４】
基台部２０３は、テープ印刷装置１０１の装置ケース１０３よりもＺ方向の寸法が小さい、略直方体状に形成されている。なお、基台部２０３の＋Ｚ側の面には、ダイヤル２５１の摘み部２６７が回転可能に設けられている。詳細は後述するが、ユーザーは、摘み部２６７を摘んでダイヤル２５１を回転させることにより、巻取り部２０５をＺ方向に移動させることができる。
【００１５】
巻取り部２０５には、テープ印刷装置１０１から送られたテープ４０１が巻き取られる。巻取り部２０５は、巻取り本体２０９と、巻取り取付体２１１とを備えている。巻取り本体２０９は、基台部２０３の＋Ｚ側の面に回転可能に設けられている。巻取り取付体２１１は、巻取り本体２０９に着脱可能に取り付けられ、巻取り本体２０９と一体に回転する。
【００１６】
巻取り本体２０９は、巻取りコア部２１３（図４参照）と、第１フランジ部２１５とを備えている。巻取り本体２０９は、第１フランジ部２１５が基台部２０３の＋Ｚ側の面に設けられた円形開口２１７に埋め込まれるようにして、基台部２０３に設けられている。巻取り取付体２１１は、第２フランジ部２１９を備えている。第１フランジ部２１５および第２フランジ部２１９は、略円板状に形成されている。巻取り取付体２１１は、第２フランジ部２１９が第１フランジ部２１５と向かい合うようにして、巻取り本体２０９に取り付けられる。テープ印刷装置１０１から送られたテープ４０１は、第１フランジ部２１５および第２フランジ部２１９によりテープ４０１の幅方向にガイドされながら、巻取りコア部２１３に巻き取られる。なお、第１フランジ部２１５は、本発明の「フランジ部」の一例である。
【００１７】
巻取りガイド部２０７は、基台部２０３の＋Ｚ側の面に設けられている。巻取りガイド部２０７は、テープ印刷装置１０１のテープ排出口１０９から巻取り部２０５に送られるテープ４０１をガイドする。巻取りガイド部２０７は、第１ガイドローラー２２１と、摩擦部材２２３と、第２ガイドローラー２２５と、ガイド壁２２６とを備えている。第１ガイドローラー２２１は、テープ排出口１０９から摩擦部材２２３へ送られるテープ４０１をガイドする。摩擦部材２２３は、テープ４０１に摩擦抵抗を付与することにより、テープ４０１が巻取り部２０５側に引っ張られることを抑制する。第２ガイドローラー２２５は、摩擦部材２２３から巻取り部２０５へ送られるテープ４０１をガイドする。ガイド壁２２６は、第１ガイドローラー２２１から摩擦部材２２３へ送られるテープ４０１が、巻取り部２０５側へ弛むことを阻止する。なお、第２ガイドローラー２２５は、テープ４０１の仕様や、巻取り部２０５によるテープ４０１の巻取り速度等の条件により、設けてもよいし、設けなくてもよい。
【００１８】
［テープ］
図３に基づいて、テープ４０１について説明する。テープ４０１には、幅の異なる複数種のものがあり、例えば、９ｍｍ幅、１２ｍｍ幅、１８ｍｍ幅、２４ｍｍ幅および３６ｍｍ幅および５０ｍｍ幅の６種類が含まれる。このうち、９ｍｍ幅、１２ｍｍ幅、１８ｍｍ幅および２４ｍｍ幅の４種類については、テープ印刷装置１０１において、テープ４０１の幅方向における中心位置が略一致するようにして、送られる。このため、テープ４０１の幅方向の両端の位置が、テープ４０１の幅ごとに異なっている。また、３６ｍｍ幅および５０ｍｍ幅のテープ４０１についても、テープ４０１の幅方向の両端の位置が、他のテープ４０１と異なっている。
【００１９】
［巻取り本体］
図４ないし図６に基づいて、巻取り本体２０９について説明する。巻取り本体２０９は、上記の巻取りコア部２１３および第１フランジ部２１５のほか、フランジ側係合部２２７を備えている。
【００２０】
巻取りコア部２１３は、Ｚ方向に延在する略円柱状に形成されている。巻取りコア部２１３の周面には、２つの係合部形成面２２９が設けられている。各係合部形成面２２９には、５つのコア側係合部２３１が巻取りコア部２１３の延在方向に並ぶように形成されている（図６参照）。５つのコア側係合部２３１は、１２ｍｍ幅から５０ｍｍ幅までの５種類のテープ４０１の幅に対応した位置に設けられている。コア側係合部２３１には、巻取り取付体２１１に設けられたレバー２３３（図１参照）のレバー側係合部（図示省略）が係合する。コア側係合部２３１にレバー側係合部が係合することで、巻取り取付体２１１が、巻取り本体２０９に対して、テープ４０１の幅に応じた位置に取り付けられる。
【００２１】
第１フランジ部２１５は、巻取りコア部２１３の−Ｚ側の端部に設けられている。第１フランジ部２１５と巻取りコア部２１３とは、一体に形成されている。第１フランジ部２１５の中心には、軸挿入穴２３５が設けられている。軸挿入穴２３５には、Ｚ方向に延在する巻取り軸２３７が挿入されている。巻取り本体２０９は、巻取り軸２３７に、回転可能、且つ、巻取り軸２３７の延在方向に移動可能に、支持されている。また、第１フランジ部２１５は、軸挿入穴２３５に巻取り軸２３７が挿入されることで、巻取り軸２３７の延在方向と交差する方向に、すなわちＸ方向およびＹ方向に、位置決めされる。なお、巻取り軸２３７は、基台部２０３に内蔵された巻取り側支持プレート２２０（図７参照）に固定されており、巻取り側支持プレート２２０から＋Ｚ側に突出している。
【００２２】
第１フランジ部２１５は、＋Ｚ側の非歯車部２３９と、−Ｚ側のフランジ歯車部２４１とを備えている。フランジ歯車部２４１は、出力歯車２８７（図７参照）と噛み合っている。なお、フランジ歯車部２４１と出力歯車２８７との噛み合いは、巻取り本体２０９が巻取り軸２３７の延在方向に移動した際にも、維持される。出力歯車２８７には、テープ印刷装置１０１に備えられた送りモーター１２１の動力が伝達される。すなわち、巻取り部２０５は、送りモーター１２１を駆動源として回転する。なお、巻取り部２０５は、巻取り装置２０１に備えられたモーターを駆動源として回転する構成でもよい。
【００２３】
フランジ側係合部２２７は、第１フランジ部２１５の−Ｚ側の面の略中心から−Ｚ側に突出するようにして、第１フランジ部２１５に固定されている。フランジ側係合部２２７の先端部には、係合凸部２４３がフランジ状に設けられている。フランジ側係合部２２７は、係合凸部２４３において、後述するカム側係合部２５９と係合している。
【００２４】
［歯車列および検出部］
図７に基づいて、テープ印刷装置１０１および巻取り装置２０１に備えられた歯車列と、テープ印刷装置１０１に備えられた検出部１２７とについて説明する。テープ印刷装置１０１は、印刷側第１歯車列１２９と、印刷側第２歯車列１３１とを備えている。印刷側第１歯車列１２９の入力側の歯車は、送り歯車列１２５の出力側の歯車、すなわちプラテン回転部材１２３と一体に回転するプラテン歯車１３３、と噛み合っている。印刷側第１歯車列１２９は、送り歯車列１２５から入力した動力を、後述する巻取り側第１歯車列２７９に伝達する。印刷側第２歯車列１３１は、後述する巻取り側第２歯車列２８１から入力した動力を、検出部１２７の検出回転体１３５に伝達する。
【００２５】
検出部１２７は、巻取り部２０５の回転速度を検出する。検出部１２７は、検出回転体１３５と、フォトインターラプター１３７とを備えている。検出部１２７としては、例えばロータリーエンコーダーを用いることができる。検出回転体１３５は、複数の扇形部が放射状に設けられた板状に形成されている。検出回転体１３５が回転すると、フォトインターラプター１３７の発光素子から受光素子へ発せられた光が、検出回転体１３５により断続的に遮断される。これにより、フォトインターラプター１３７は、検出回転体１３５の回転速度に応じた検出信号を、テープ印刷装置１０１に備えられた制御部１３９に出力する。制御部１３９は、図示省略したが、ＣＰＵ（Central Processing Unit）に代表されるプロセッサーと、ＲＯＭ（Read Only Memory）、ＲＡＭ（Random Access Memory）などの各種メモリーとを備えている。なお、印刷側第１歯車列１２９の一部の歯車と、印刷側第２歯車列１３１と、検出部１２７とは、印刷側支持プレート１４１に支持されている。
【００２６】
巻取り装置２０１は、巻取り側第１歯車列２７９と、巻取り側第２歯車列２８１とを備えている。巻取り側第１歯車列２７９は、印刷側第１歯車列１２９から入力した動力を、巻取り部２０５に伝達する。巻取り側第１歯車列２７９は、中間歯車２８３と、トルクリミッター２８５と、出力歯車２８７とを備えている。中間歯車２８３、トルクリミッター２８５および出力歯車２８７は、互いに同軸上に設けられている。トルクリミッター２８５は、中間歯車２８３と出力歯車２８７との間に設けられており、中間歯車２８３から出力歯車２８７へ伝達されるトルクを、所定の値に制限する。出力歯車２８７は、巻取り部２０５の第１フランジ部２１５と噛み合っている。また、出力歯車２８７は、巻取り側第２歯車列２８１の入力側の歯車とも噛み合っている。巻取り側第２歯車列２８１は、出力歯車２８７から入力した動力を、印刷側第２歯車列１３１に伝達する。なお、巻取り側第１歯車列２７９および巻取り側第２歯車列２８１は、基台部２０３に内蔵された図示しない支持プレートに支持されている。
【００２７】
テープ印刷装置１０１と巻取り装置２０１とが接続されると、印刷側第１歯車列１２９の出力側の歯車と、巻取り側第１歯車列２７９の入力側の歯車とが噛み合い、巻取り側第２歯車列２８１の出力側の歯車と、印刷側第２歯車列１３１の入力側の歯車とが噛み合う。この状態で、テープ印刷装置１０１に備えられた送りモーター１２１が作動すると、送りモーター１２１の動力は、送り歯車列１２５、印刷側第１歯車列１２９および巻取り側第１歯車列２７９を介して、巻取り部２０５へ伝達される。
【００２８】
ここで、巻取り部２０５によるテープ４０１の巻取り速度の方が、プラテンローラーによるテープ４０１の送り速度に比べて速くなるように、送り歯車列１２５、印刷側第１歯車列１２９および巻取り側第１歯車列２７９の減速比が設定されている。このため、テープ４０１に張力が掛かった状態でテープ４０１が巻取り部２０５に巻き取られる。そして、第１フランジ部２１５と噛み合っている出力歯車２８７は、巻取り部２０５に巻き取られるテープ４０１の張力を受け、トルクリミッター２８５によりスリップしながら回転する。これにより、プラテンローラーによるテープ４０１の送り速度と、巻取り部２０５によるテープ４０１の巻取り速度との速度差が吸収される。出力歯車２８７は、巻取り部２０５の回転速度に応じた回転速度で回転する。また、巻取り部２０５は、トルクリミッター２８５により制限された、一定のトルクで回転する。
【００２９】
送りモーター１２１の動力は、第１フランジ部２１５に伝達されるだけでなく、出力歯車２８７から巻取り側第２歯車列２８１および印刷側第２歯車列１３１を介して、検出回転体１３５へ伝達される。このため、検出回転体１３５は、巻取り部２０５の回転速度に応じた回転速度で回転する。これにより、検出部１２７は、巻取り部２０５の回転速度を検出する。すなわち、制御部１３９は、フォトインターラプター１３７から出力された検出信号に基づいて、巻取り部２０５の回転速度を取得する。
【００３０】
このように、巻取り装置２０１は、巻取り部２０５の回転速度を検出する検出手段を自ら備えることなく、巻取り部２０５の回転速度に応じた回転速度で回転する出力歯車２８７の動力を、巻取り側第２歯車列２８１によりテープ印刷装置１０１に伝達することで、巻取り部２０５の回転速度をテープ印刷装置１０１に検出させることができる。また、上述したように、巻取り装置２０１は、巻取り部２０５の駆動源を自ら備えることなく、テープ印刷装置１０１から入力した動力を、巻取り側第１歯車列２７９により巻取り部２０５に伝達することで、巻取り部２０５を回転させることができる。これらの構成により、巻取り装置２０１は、電気的回路を備える必要がなく、巻取り装置２０１の信頼性を向上させることができる。
【００３１】
［フランジ移動部］
図４ないし図６に基づいて、フランジ移動部２４５について説明する。フランジ移動部２４５は、第１フランジ部２１５をＺ方向に、すなわち巻取り軸２３７の延在方向に位置決め可能に移動させるためのものである。上述したように、テープ印刷装置１０１においては、テープ４０１の幅方向の両端の位置が、テープ４０１の幅ごとに異なった状態で、テープ４０１が送られる。このため、巻取り装置２０１においても、テープ４０１の幅方向の両端の位置が、テープ４０１の幅ごとに異なった状態で、テープ４０１が巻取り部２０５へ送られる。これに対応するため、巻取り装置２０１は、第１フランジ部２１５が、上記した６種類のテープ４０１の幅に応じた６つのフランジ位置に位置決め可能に移動するように、巻取り部２０５を巻取り軸２３７の延在方向に移動させるフランジ移動部２４５を備えている。
【００３２】
フランジ移動部２４５は、円筒カム２４７と、フランジ移動歯車２４９と、ダイヤル２５１と、フック２５３とを備えている。
【００３３】
円筒カム２４７は、巻取り軸２３７の延在方向と平行な回転軸周りに、回転可能に構成されている。円筒カム２４７は、＋Ｚ側に設けられたカム本体２５５と、−Ｚ側に設けられたカム歯車部２５７とを備えている。カム本体２５５とカム歯車部２５７とは、一体に形成されている。
【００３４】
カム本体２５５は、円筒状に形成されている。カム本体２５５の周面には、カム本体２５５を一周する溝状のカム側係合部２５９が設けられている。カム側係合部２５９には、上記のフランジ側係合部２２７が係合している。円筒カム２４７が回転すると、カム側係合部２５９に係合したフランジ側係合部２２７が巻取り軸２３７の延在方向に移動する。これにより、フランジ側係合部２２７が固定された第１フランジ部２１５が、フランジ側係合部２２７と一体に巻取り軸２３７の延在方向に移動する。なお、円筒カム２４７は、本発明の「カム」の一例である。
【００３５】
カム側係合部２５９は、６つのカム側維持係合部２６１と、６つのカム側移動係合部２６３とを備えている。カム側維持係合部２６１とカム側移動係合部２６３とは、カム本体２５５の周方向において交互に設けられている。すなわち、カム側移動係合部２６３は、一のカム側維持係合部２６１と他のカム側維持係合部２６１とを接続するように設けられている。
【００３６】
６つのカム側維持係合部２６１は、巻取り軸２３７の延在方向において、上記の６つのフランジ位置に対応した位置に設けられている。すなわち、カム側係合部２５９がカム側維持係合部２６１においてフランジ側係合部２２７と係合しているときは、第１フランジ部２１５が６つのフランジ位置のうち、１つのフランジ位置に位置する。また、カム側維持係合部２６１は、巻取り軸２３７の延在方向に垂直な面に対して略平行に設けられている。さらに、カム側維持係合部２６１は、周方向において、フランジ側係合部２２７と係合するための所定の長さを有している。これらにより、円筒カム２４７が回転する際に、カム側係合部２５９がカム側維持係合部２６１においてフランジ側係合部２２７と係合している間は、第１フランジ部２１５が巻取り軸２３７の延在方向に移動することなく、１つのフランジ位置に維持される。
【００３７】
一方、カム側移動係合部２６３は、巻取り軸２３７の延在方向に垂直な面に対して斜めに交差するように設けられている。このため、円筒カム２４７が回転する際に、カム側係合部２５９がカム側移動係合部２６３においてフランジ側係合部２２７と係合している間は、第１フランジ部２１５が、１つのフランジ位置と隣接する他のフランジ位置との間で移動する。
【００３８】
このように、カム側係合部２５９が、第１フランジ部２１５を１つのフランジ位置に維持する６つのカム側維持係合部２６１と、第１フランジ部２１５を１つのフランジ位置と隣接する他のフランジ位置との間で移動させる６つのカム側移動係合部２６３とを備えていることで、第１フランジ部２１５を６つのフランジ位置に位置決め可能に移動させることができる。
【００３９】
また、カム側係合部２５９において、巻取り軸２３７の延在方向における２つの壁部のうち、＋Ｚ側の壁部、すなわち第１フランジ部２１５側の壁部は、抜止め部２６５として機能している。すなわち、抜止め部２６５は、係合凸部２４３をカム側係合部２５９に対して抜止め状態にしている。これにより、ユーザーにより巻取り本体２０９が＋Ｚ側に引っ張られた際などに、係合凸部２４３がカム側係合部２５９から外れることが抑制される。
【００４０】
カム歯車部２５７は、カム本体２５５よりも小径の円板状に形成されている。カム歯車部２５７は、フランジ移動歯車２４９と噛み合っている。
【００４１】
ダイヤル２５１は、円筒カム２４７を作動させるためのものである。ダイヤル２５１は、上記の摘み部２６７と、ダイヤル本体２６９とを備えている。ダイヤル本体２６９は、基台部２０３内に収容されており、摘み部２６７と一体となって回転するように、摘み部２６７に連結されている。ダイヤル本体２６９は、＋Ｚ側に設けられたダイヤル円筒部２７１と、−Ｚ側に設けられたダイヤル歯車部２７３とを備えている。ダイヤル円筒部２７１とダイヤル歯車部２７３とは、一体に形成されている。ダイヤル円筒部２７１は、略円筒状に形成されており、その周面には、６つのダイヤル側係合凹部２７５が周方向に等間隔で設けられている。そのため、ユーザーは、ダイヤル２５１の位置、すなわち、カム側維持係合部２６１とフランジ側係合部２２７との係合位置を、容易に把握することができる。ダイヤル歯車部２７３は、ダイヤル円筒部２７１よりも小径の円板状に形成されている。ダイヤル歯車部２７３は、フランジ移動歯車２４９と噛み合っている。このため、ユーザーが摘み部２６７を摘んでダイヤル２５１回転させると、フランジ移動歯車２４９が回転し、さらにカム歯車部２５７および円筒カム２４７が回転する。また、６つのダイヤル側係合凹部２７５は、周方向に等間隔で設けられているとしたが、等間隔で設けなくてもよい。なお、ダイヤル２５１は、本発明の「操作部」の一例である。
【００４２】
フック２５３は、フック支持軸（図示省略）に回動可能に支持されている。フック２５３の先端部には、フック側係合部２７７が設けられている。フック２５３は、＋Ｚ側から見て反時計回りに、すなわちフック側係合部２７７がダイヤル本体２６９の回転中心に向かう回動方向に、図示省略したフックバネにより力が付与されている。このため、フック２５３は、ダイヤル円筒部２７１に設けられたダイヤル側係合凹部２７５と係合することで、ダイヤル２５１の回動を規制する。なお、フックバネとしては、例えば、フック支持軸に設けられたねじりコイルバネを用いることができる。なお、フック２５３は、本発明の「操作規制部」の一例である。また、ダイヤル側係合凹部２７５は、本発明の「規制係合部」の一例である。
【００４３】
ここで、６つのダイヤル側係合凹部２７５は、円筒カム２４７に設けられた６つのカム側維持係合部２６１と対応している。すなわち、カム側係合部２５９がカム側維持係合部２６１においてフランジ側係合部２２７と係合する際に、ダイヤル円筒部２７１においてフック２５３と係合する位置に、ダイヤル側係合凹部２７５が設けられている。これにより、フック２５３がダイヤル側係合凹部２７５と係合すると、カム側係合部２５９がカム側維持係合部２６１においてフランジ側係合部２２７と係合する。このため、ダイヤル２５１が、フック２５３がダイヤル側係合凹部２７５と係合する回転位置まで、すなわちフック２５３によりダイヤル２５１の回転が規制される回転位置まで、回転すると、カム側係合部２５９がカム側維持係合部２６１においてフランジ側係合部２２７と係合し、第１フランジ部２１５が１つのフランジ位置に移動する。換言すれば、ユーザーは、ダイヤル２５１の回転が規制される回転位置まで、すなわちクリック感を感じる回転位置まで、ダイヤル２５１を回転させることで、第１フランジ部２１５を１つのフランジ位置に移動させることができる。
【００４４】
また、円筒カム２４７は、ダイヤル本体２６９およびフランジ移動歯車２４９を介して、フック２５３により回転が規制させる。このため、巻取り部２０５が回転しているときに、巻取り部２０５の回転力によって円筒カム２４７が回転することが抑制される。したがって、巻取り部２０５が回転しているときに、ユーザーの意図に反して、第１フランジ部２１５が巻取り軸２３７の延在方向に移動してしまうことが抑制される。
【００４５】
さらに、巻取り取付体２１１を、テープ４０１の幅に合わせて巻取り本体２０９に取り付けることにより、テープ印刷装置１０１から送られたテープ４０１は、第１フランジ部２１５および第２フランジ部２１９によりガイドされながら、巻取りコア部２１３に巻き取られる（図８および図９参照）。
【００４６】
以上のように、本実施形態の巻取り装置２０１は、巻取り軸２３７と、巻取りコア部２１３と、第１フランジ部２１５と、フランジ側係合部２２７と、フランジ移動部２４５とを備えている。巻取りコア部２１３は、巻取り軸２３７に回転可能に設けられている。巻取りコア部２１３には、テープ４０１が巻き取られる。第１フランジ部２１５は、巻取り軸２３７に対して、巻取り軸２３７の延在方向に移動可能に設けられている。第１フランジ部２１５は、巻取りコア部２１３に巻き取られるテープ４０１をテープ４０１の幅方向にガイドする。フランジ側係合部２２７は、第１フランジ部２１５と一体に移動可能である。フランジ移動部２４５は、円筒カム２４７を備えている。円筒カム２４７には、フランジ側係合部２２７と係合するカム側係合部２５９が設けられている。フランジ移動部２４５は、第１フランジ部２１５を、テープ４０１の幅に応じた複数のフランジ位置に位置決め可能に移動させる。
【００４７】
この構成によれば、円筒カム２４７が回転すると、第１フランジ部２１５が、テープ４０１の幅に応じたフランジ位置に位置決めされて移動する。したがって、第１フランジ部２１５をテープ４０１の幅に応じたフランジ位置に容易に移動させることができる。
【００４８】
［変形例］
本発明は、上記の実施形態に限定されず、その趣旨を逸脱しない範囲で種々の構成を採用可能であることは言うまでもない。例えば、上記の実施形態は、上述したほか、以下のような形態に変更することができる。
【００４９】
本発明の「カム側係合部」は、カム側係合部２５９のように、カム側維持係合部２６１と、カム側移動係合部２６３とが含まれる構成に限定されず、例えば、カム側係合部２５９の全体が、巻取り軸２３７の延在方向に垂直な面に対して斜めに交差した構成でもよい。すなわち、円筒カム２４７が回転している間は、巻取り部２０５が常に巻取り軸２３７の延在方向に移動する構成でもよい。この構成では、６つのダイヤル側係合凹部２７５は、６つのフランジ位置と対応する。すなわち、第１フランジ部２１５がフランジ位置に位置する際に、ダイヤル円筒部２７１においてフック２５３と係合する位置に、ダイヤル側係合凹部２７５が設けられている。これにより、フック２５３がダイヤル側係合凹部２７５と係合すると、第１フランジ部２１５がフランジ位置に位置する。このため、ダイヤル２５１が、フック２５３がダイヤル側係合凹部２７５と係合する回転位置まで回転すると、第１フランジ部２１５がフランジ位置に移動する。したがって、この構成においても、ユーザーは、ダイヤル２５１の回転が規制される回転位置までダイヤル２５１を回転させることで、第１フランジ部２１５をフランジ位置に移動させることができる。
【００５０】
本発明の「連続媒体」は、テープ４０１のように、テープ状のものに限定されず、例えば、ロール紙でもよい。「連続媒体」の長さ、幅および材質についても、特に限定されるものではない。
【００５１】
本発明の「巻取りコア部」と「フランジ部」とは、巻取りコア部２１３と第１フランジ部２１５とのように、一体に形成された構成に限定されず、別体に形成されていてもよい。この場合、「フランジ部」は、「巻取りコア部」に対して固定されていてもよく、「巻取りコア部」に対して移動可能に取り付けられていてもよい。
【００５２】
本発明の「カム」は、円筒カム２４７に限定されず、例えば、板カム、直動カムなどを用いてもよい。
【００５３】
本発明の「フランジ側係合部」および「カム側係合部」は、フランジ側係合部２２７およびカム側係合部２５９のように、「フランジ側係合部」が凸状で「カム側係合部」が凹状である構成に限定されず、例えば、これとは逆に、「フランジ側係合部」が凹状で「カム側係合部」が凸状である構成でもよい。
【００５４】
本発明の「規制係合部」は、ダイヤル側係合凹部２７５のように、ダイヤル２５１に設けられた構成に限定されず、例えば、円筒カム２４７に設けられた構成でもよい。
【００５５】
本実施形態のテープ印刷装置１０１に本発明の「印刷装置」を適用してもよい。すなわち、テープ印刷装置１０１が、本実施形態の巻取り軸２３７、巻取りコア部２１３、第１フランジ部２１５、フランジ側係合部２２７およびフランジ移動部２４５と同様のものを備えた構成でもよい。換言すれば、テープ印刷装置１０１と巻取り装置２０１とが、一体化された構成でもよい。本発明の「印刷装置」は、テープ状のものに印刷を行う構成に限定されず、例えば、ロール紙に印刷を行うものでもよい。また、本発明の「印刷部」は、サーマルヘッドのように、サーマル方式により印刷を行うものに限定されず、例えば、インクジェット方式、電子写真方式、或いはドットインパクト方式により印刷を行うものでもよい。
【符号の説明】
【００５６】
１０１…テープ印刷装置、２０１…巻取り装置、２１３…巻取りコア部、２１５…第１フランジ部、２２７…フランジ側係合部、２３５…軸挿入穴、２３７…巻取り軸、２４３…係合凸部、２４５…フランジ移動部、２４７…円筒カム、２５１…ダイヤル、２５３…フック、２５９…カム側係合部、２６１…カム側維持係合部、２６３…カム側移動係合部、２６５…抜止め部、２７５…ダイヤル側係合凹部、４０１…テープ。
【図１】
2019182656.tif 000003
【図２】
2019182656.tif 000004
【図３】
2019182656.tif 000005
【図４】
2019182656.tif 000006
【図５】
2019182656.tif 000007
【図６】
2019182656.tif 000008
【図７】
2019182656.tif 000009
【図８】
2019182656.tif 000010
【図９】
2019182656.tif 000011